(57)【要約】【課題】頭部の止血時、手術時、又は治療時において、貼付が簡便であり、貼り直しが可能であり、手切れ性が良く、剥離時に髪の毛が抜けることや痛みを伴うことがなく、ガーゼ等を固定することが可能である自着包帯を提供すること。【解決手段】織成又は編成した基布に、自着剤を付着してなる自着包帯であって、前記自着包帯は自背面粘着力が０．５〜８．０Ｎ／３８ｍｍであり、長さ方向の引張り強さが４０〜１６０Ｎ／３８ｍｍであり、巻戻し力が０．５〜１２Ｎ／５０ｍｍであることを特徴とする頭部用自着包帯。【選択図】図１
0003201497.tif 000002
【実用新案登録請求の範囲】
【請求項１】
包帯の長さ方向の経糸及び幅方向の緯糸で以て織成又は編成した基布に、自着剤を付着してなる自着包帯であって、前記自着包帯は自背面粘着力が０．５〜８．０Ｎ／３８ｍｍであり、長さ方向の引張強さが４０〜１６０Ｎ／３８ｍｍであり、巻戻し力が０．５〜１２Ｎ／５０ｍｍであることを特徴とする頭部用自着包帯。
【請求項２】
包帯の長さ方向の経糸及び幅方向の緯糸で以て織成又は編成した基布に、自着剤を付着してなる自着包帯であって、前記自着包帯は引裂強さが３〜５０Ｎであることを特徴とする請求項１記載の頭部用自着包帯。
【請求項３】
包帯の長さ方向の経糸及び幅方向の緯糸で以て織成又は編成した基布に、自着剤を付着してなる自着包帯であって、前記自着剤が合成ゴム又は天然ゴムラテックスを含み、前記自着剤の付着量が５０〜８０ｇ／ｍ２である請求項１又は請求項２記載の頭部用自着包帯。
【考案の詳細な説明】
【技術分野】
【０００１】
本考案は、医療分野、特に頭部の止血時、手術時、又は治療時に用いられるガーゼ等を固定する頭部用自着包帯に関する。
【背景技術】
【０００２】
従来から、頭部を止血する場合や、縫合後に薬剤を塗布する場合には、患部をガーゼで覆い、その上からサージカルテープなどの粘着包帯で固定する方法や、ガーゼの上から粘着性がない包帯を巻いて固定する方法等が用いられてきた。しかし、粘着包帯で固定する場合には、剥離時に髪の毛が抜けてしまう、剥離時に傷みを伴うなどの問題があった。粘着性がない包帯（特許文献１）で固定する場合には、固定力が弱く貼付中にガーゼが落ちてしまう、貼付中にガーゼが患部からずれてしまうなどの問題があった。
【先行技術文献】
【特許文献】
【０００３】
【特許文献１】特開昭５７−１１９７４８
【考案の概要】
【考案が解決しようとする課題】
【０００４】
本考案は、この点を改良すべくなされたものであって、頭部の止血時、手術時、又は治療時において、貼付が簡便であり、貼り直しが可能であり、手切れ性が良く、剥離時に髪の毛が抜けることや痛みを伴うことがなく、ガーゼ等を固定することが可能である頭部用自着包帯を提供することを課題とするものである。
【課題を解決するための手段】
【０００５】
すなわち、本考案によれば、包帯の長さ方向の経糸及び幅方向の緯糸で以て織成又は編成した基布に、自着剤を付着してなる自着包帯であって、前記自着包帯は自背面粘着力が０．５〜８．０Ｎ／３８ｍｍであり、長さ方向の引張強さが４０〜１６０Ｎ／３８ｍｍであり、巻戻し力が０．５〜１２Ｎ／５０ｍｍであることを特徴とする頭部用自着包帯が提供される。
【０００６】
また、本発明によれば、実施の態様として、以下の（１）〜（２）の頭部用自着包帯が提供される。
（１）包帯の長さ方向の経糸及び幅方向の緯糸で以て織成又は編成した基布に、自着剤を付着してなる自着包帯であって、前記自着包帯は引裂強さが３〜５０Ｎであることを特徴とする前記の頭部用自着包帯。
（２）包帯の長さ方向の経糸及び幅方向の緯糸で以て織成又は編成した基布に、自着剤を付着してなる自着包帯であって、前記自着剤が合成ゴム又は天然ゴムラテックスを含み、前記自着剤の付着量が５０〜８０ｇ／ｍ２である前記の頭部用自着包帯。
【考案の効果】
【０００７】
本考案により、頭部の止血時、手術時、又は治療時において、貼付が簡便であり、貼り直しが可能であり、手切れ性が良く、剥離時に髪の毛が抜けることや痛みを伴うことがなく、ガーゼ等を固定することが可能である自着包帯が提供される。
【図面の簡単な説明】
【０００８】
【図１】本考案の実施例を示す斜視図である
【図２】引裂強さの測定方法を示す説明図である。
【考案を実施するための形態】
【０００９】
本考案の頭部用自着包帯（以下、自着包帯ということがある）は、基布に自着剤を塗布した自着包帯であって、基布及び自着剤の組み合わせに特徴を有する。
【００１０】
１．基布
本考案の基布は、長さ方向の経糸及び幅方向の緯糸で以て織成又は編成されている。また、織布は、緯糸が単環縫い方式で織成されていてもよい。
本考案の基布で使用できる上記経糸及び緯糸としては、その材質、種類は問わない。具体的には本考案の自着包帯で使用できる弾性糸としては、綿・ポリウレタン混紡糸、ポリエステル・ポリウレタン混紡繊維、ナイロン・ポリウレタン混紡繊維等の伸縮性のあるポリウレタン混紡繊維、又はポリウレタン繊維の芯に綿やウールなどの合成繊維を巻き付けたコアスパンヤーンが使用できる。
また、非弾性糸としては、綿、絹糸、毛糸、又はポリエステル、ナイロン、ポリオレフィン等の合成繊維等が適宜使用できる。非弾性糸は通常は10％以下しか伸びず、手で伸張させた場合はほとんど伸びないものを使用する。非弾性糸を緯糸に用い、弾性糸を経糸に用いることで、頭部に安定して巻くことができ、更にガーゼを固定することができるため好ましい。
【００１１】
基布の目付けは、５０〜３００ｇ／ｍ２が好ましく、１５０〜２００ｇ／ｍ２がより好ましい。
【００１２】
２．自着剤
本考案の頭部用自着包帯は基布の表面に、自着性のある成分を含む自着剤を付着させる。基布に自着剤を付着させることで包帯は巻き重ねた部分に付着するという性質を有することができ、また、本発明の自着包帯を手で引き裂こうとする場合、自着剤が基布に付着していることにより、経糸が長さ方向に伸びると共に手に摘まれた緯糸が経糸に対して滑り出すことを防ぐため、力がうまく作用し、手切れ性が向上する。
【００１３】
自着性のある成分としては、好ましくは天然ゴム（脱タンパク処理した天然ゴムを含む）若しくはブタジエンゴム、スチレン−ブタジエンゴム、イソプレンゴム、クロロプレンゴム、アクリロニトリル−ブタジエンゴム（ニトリルゴム）、アクリルゴムその他の合成ゴム又はこれらの混合物があり、自着性のある成分は、粘着付与剤を含まず、粘着性がなくてもよい。自着性のある成分は、エマルジョンタイプ若しくは溶展タイプがあり、環境面の点から、エマルジョンタイプが好ましい。エマルジョンタイプであれば、天然ゴムを９０〜９９％、老化防止剤を０．１〜５.０％、界面活性剤を０．１〜５．０％を配合した自着性のある成分が好ましい。老化防止剤と界面活性剤は、必要に応じて２種類以上配合することができる。この自着性のある成分を噴霧塗布、ロールコーター法及びディッピング法等によって付着させる。
この付着量は、通例、布の織り目や編目を封鎖して通気性を悪くしてしまわない程度のもので、５０〜８０ｇ／ｍ２程度が好ましく、６０〜７０ｇ／ｍ２（ドライ）がより好ましい。
基布の目付けと付着量の比率（基布の目付け（ｇ／ｍ２）／付着量（ｇ／ｍ２））は、１．６〜３．２が好ましく、２．０〜２．７がより好ましい。
【００１４】
３．頭部用自着包帯
本考案の頭部用自着包帯は、包帯の長さ方向の経糸及び幅方向の緯糸で以て織成又は編成した基布に、自着剤を付着してなる自着包帯であって、前記自着包帯は自背面粘着力が０．５〜８．０Ｎ／３８ｍｍであり、長さ方向の引張強さが４０〜１６０Ｎ／３８ｍｍであり、巻戻し力が０．５〜１２Ｎ／５０ｍｍであることを特徴とする前記の頭部用自着包帯である。本考案の頭部用自着包帯は、上記の特性を有することによって、貼付が簡便であり、貼り直しが可能であり、手切れ性が良く、剥離時に髪の毛が抜けることや痛みを伴うことがなく、ガーゼ等を固定することが可能な頭部用自着包帯を提供するという効果を奏することが出来る。
具体的には、本考案の頭部用自着包帯は、所定の方法により測定した自背面粘着力、引張強さ、巻戻し力、引裂強さにより効果を確認することができる。
【００１５】
頭部とは、頭に当たる部分をさし、顔面や髪の毛が生えている部分を含む。
【００１６】
[自背面粘着力]
本考案の頭部用自着包帯の自背面粘着力は、０．５〜８．０Ｎ／３８ｍｍの範囲であり、好ましくは、１．０〜６．０Ｎ／３８ｍｍの範囲である。本考案の頭部用自着包帯は、前記の範囲の自背面粘着力を有することにより、髪の毛の上から貼付しても、剥離時に髪の毛が抜けず、剥離時に痛みを伴わず、貼り直しが可能であり、ガーゼを安定して固定することができる。
頭部用自着包帯の自背面粘着力は、頭部用自着包帯を縦１２０ｍｍ（長さ方向）×横３８ｍｍ（幅方向）に裁断し、これを縦１２０ｍｍ（長さ方向）×横３８ｍｍ幅（幅方向）に裁断した自着包帯の基布（自背面）に貼付して、インストロン型引張試験機により、引きはがし速度を３００±３０ｍｍ／ｍｉｎとして、１８０°剥離力（Ｎ）を測定して求める（単位：Ｎ／３８ｍｍ）。
【００１７】
[引張強さ] 
本考案の頭部用自着包帯の長さ方向の引張強さは、４０〜１６０Ｎ／３８ｍｍの範囲であり、好ましくは５０〜１５０Ｎ／３８ｍｍ、より好ましくは６０〜１４５Ｎ／３８ｍｍである。本考案の頭部用自着包帯は、前記範囲の引張強さを有することにより、小さな力でも、頭部に簡便に貼付することができ、ガーゼを安定して固定することができる。幅方向の引張強さは特に限定されないが、５５０〜７５０Ｎ／３８ｍｍが好ましい。
頭部用自着包帯の引張強さは、頭部用自着包帯を縦１５０ｍｍ（長さ方向）×横３８ｍｍ（幅方向）に裁断し、両外側に布テープを貼ってつかみ部分とする。つかみ間隔を１００ｍｍとして、インストロン型引張試験機により、３００±３０ｍｍ／ｍｉｎの速度でテープが破断するまで引張り、破断したときの応力により求める（単位：Ｎ／３８ｍｍ）。
【００１８】
[引張強さ] 
本考案の頭部用自着包帯の長さ方向の引張強さは、４０〜１６０Ｎ／３８ｍｍの範囲であり、好ましくは５０〜１５０Ｎ／３８ｍｍ、より好ましくは６０〜１４５Ｎ／３８ｍｍである。本考案の頭部用自着包帯は、前記範囲の引張強さを有することにより、小さな力でも、頭部に簡便に貼付することができ、ガーゼを安定して固定することができる。幅方向の引張強さは特に限定されないが、６００〜７５０Ｎ／３８ｍｍが好ましい。
頭部用自着包帯の引張強さは、頭部用自着包帯を縦１５０ｍｍ（長さ方向）×横３８ｍｍ（幅方向）に裁断し、両外側に布テープを貼ってつかみ部分とする。つかみ間隔を１００ｍｍとして、インストロン型引張試験機により、３００±３０ｍｍ／ｍｉｎの速度でテープが破断するまで引張り、破断したときの応力により求める（単位：Ｎ／３８ｍｍ）。
【００１９】
[巻戻し力]
本考案の頭部用自着包帯の巻戻し力は、０．５〜１２Ｎ／５０ｍｍの範囲であり、好ましくは０．５〜１０Ｎ／５０ｍｍ、より好ましくは０．５〜８Ｎ／５０ｍｍである。本考案の頭部用自着包帯は、前記範囲の巻戻し力を有することにより、自着包帯の引き剥がし部分を一方の手で掴み剥がした部分を頭部にあてつつ、ロール状の自着包帯をもう一方の手でロールから剥がしながら、貼付することができる。巻戻し力が大きすぎると、ロール状の頭部用自着包帯を片手で剥がしながら貼付することができないおそれがある。ロール状の頭部用自着包帯を片手で剥がしながら貼付できた場合にも、ロールから引き剥がすのに大きな力が掛かり、その力が患部に伝わり患部に振動を与えるおそれがある。
頭部用自着包帯の巻戻し力は、５０ｍｍ幅に裁断した頭部用自着包帯の芯（紙管）の中空部に円筒軸をはめ込み、軸両端部を自転自由に支持した金属製フレームを引張試験機の片方のつかみ具に固定し、他方のつかみ具にはテープ先端を固定させ、３００±３０ｍｍ／ｍｉｎの速度で引張るときの応力により求める（単位：Ｎ／５０ｍｍ）。
【００２０】
[引裂強さ]
本考案の頭部用自着包帯の引裂強さは、３〜５０Ｎの範囲が好ましく、より好ましくは５〜４５Ｎ、更にこのましくは１０〜４０Ｎである。本考案の頭部用自着包帯は、前記の範囲の引裂強さを有することにより、手切れ性がよく、貼付時にはさみ等を必要としないため、簡便に貼付することができる。引裂強さが大きすぎると、手切れ性が悪く、通常の力では切断できない、又は切断面に糸のほつれが生じて切断面の美観が悪くなるなどのおそれがある。
頭部用自着包帯の引裂強さは、頭部用自着包帯を縦１５０ｍｍ（長さ方向）×横４０ｍｍ（幅方向）に裁断し、図２に示すように、長さ方向の中央部に長辺が７０ｍｍ、短辺が２５ｍｍの等脚台形の印をつけ、インストロン型引張試験機を用いて、つかみ間隔を２５ｍｍとして試験片の台形の等脚部分を挟み、１０００±３０ｍｍ／minで引裂く時の最大荷重を測定して求める（単位：Ｎ）。
【００２１】
本考案の頭部用自着包帯は、通常紙製の巻心に巻かれたロール状であり、これを使用する場合、例えば頭部の患部をガーゼなどで覆い、その上から頭部自着包帯を覆い始め、やや縦方向（長さ方向）に伸ばし気味にして巻いて行く。頭部を１周以上周回させて該自着包帯を積層し、指で該自着包帯同士を自着させるように圧迫し、その後手やはさみ等で該自着包帯を分断して使用する。手で切る場合は、該包帯の側端縁の一部を両手で摘んで横方向に引っ張ると引き裂くことができる。特に織成した基布の場合は編成した基布よりも容易に引き裂くことができ、切れたあとの切り口の見栄えが良い。
【００２２】
本考案の頭部用自着包帯の大きさは特には限定されないが、貼付しやすさガーゼの固定しやすさからから、幅方向に３ｃｍ〜１０ｃｍが好ましく、４ｃｍ〜７ｃｍが更に好ましい。長さ方向には、ロール状の場合には片手で持てる大きさであることが好ましい。
【実施例】
【００２３】
以下に実施例を示して、本考案について具体的に説明するが、本考案はこれらの実施例に限定されるものではない。本考案の頭部用自着包帯の特性及び物性の測定方法と使用性の評価方法は、以下の通りである。
【００２４】
[自背面粘着力]
頭部用自着包帯を縦１２０ｍｍ（長さ方向）×横３８ｍｍ（幅方向）に裁断し、これを縦１２０ｍｍ（長さ方向）×横３８ｍｍ幅（幅方向）に裁断した自着包帯の支持体（自背面）に貼付して、インストロン型引張試験機により、引きはがし速度を３００±３０ｍｍ／ｍｉｎとして、１８０°剥離力（Ｎ）を測定し、自背面粘着力（Ｎ／３８ｍｍ）とした（ｎ＝３の平均値）。
【００２５】
[引張強さ] 
頭部用自着包帯を１５０ｍｍ（長さ方向）×３８ｍｍ（幅方向）に裁断し、両外側に布テープを貼ってつかみ部分とする。つかみ間隔を１００ｍｍとして、インストロン型引張試験機により、３００±３０ｍｍ／ｍｉｎの速度でテープが破断するまで引張り、破断したときの応力を引張強さ（Ｎ／３８ｍｍ）とした（ｎ＝３の平均値）。
【００２６】
[巻戻し力]
５０ｍｍ幅に裁断した頭部用自着包帯の芯（紙管）の中空部に円筒軸をはめ込み、軸両端部を自転自由に支持した金属製フレームを引張試験機の片方のつかみ具に固定し、他方のつかみ具にはテープ先端を固定させ、３００±３０ｍｍ／ｍｉｎの速度で引張るときの応力を巻戻し力（Ｎ／５０ｍｍ）とした（ｎ＝３の平均値）。
【００２７】
[引裂強さ]
頭部用自着包帯を縦１５０ｍｍ（長さ方向）×横４０ｍｍ（幅方向）に裁断し、図２に示すように、長さ方向の中央部に長辺が７０ｍｍ、短辺が２５ｍｍの等脚台形の印をつけ、インストロン型引張試験機を用いて、つかみ間隔を２５ｍｍとして試験片の台形の等脚部分を挟み、１０００±３０ｍｍ／minで引裂く時の最大荷重を測定し、引裂強さ（Ｎ）とした（ｎ＝３の平均値）。
【００２８】
[使用性の評価方法]
頭部用自着包帯の貼りやすさ、手切れ性、ガーゼの固定性、剥離時の痛み、剥離時の髪の抜毛は、以下の方法で評価した。すなわち、被験者の頭部（髪の生えている部分）に幅３ｃｍ×長さ５ｃｍの大きさに切り出したガーゼをあて、その上から幅方向５ｃｍ、長さ方向に４ｍを巻芯（直径３ｃｍ）に巻きつけた頭部用自着包帯を覆い始め、やや縦方向（長さ方向）に伸ばし気味で巻き付けた。頭部を１周半以上周回させて包帯を積層し、指で積層した包帯同士が自着するように圧迫し、その後手で切断して貼付し、１時間貼付後に剥がした。貼りやすさ、手切れ性、貼付中のガーゼの固定性、剥離時の痛み、剥離時の髪の抜毛を下記の基準に照らして評価した。
（貼りやすさ）
A：力が掛からずに、１人で簡便に貼れる。
B：１人で貼ることができるが、時間がかかる。
C：１人で貼るのは困難である。
（手切れ性）
A：簡単に手で切れて、切断面にほつれがない。
B：手で切ることが出来るが、大きな力が必要であり、切断面にほつれがある。
C：手で切ることは困難である。
（ガーゼの固定性）
A：ガーゼが固定されている。
B：貼付時はガーゼ固定されているが、途中で落下する、又は患部からずれる。
C：ガーゼが固定されておらず、すぐに落下する。
（剥離時の痛み）
A：痛みを感じない。
B：少し痛みを感じる。
C：痛みを感じる。
（剥離時の髪の抜毛）
A：髪の毛が抜けない。
B：髪の毛が少し抜ける。
C：髪の毛が沢山抜ける。
【００２９】
［実施例１］
経糸としては７８ｄｔｅｘのポリウレタン弾性糸を芯糸としその周囲に鞘糸として綿糸を巻き付けた４０番のコアスパンヤーンを使用し、緯糸としては１６番の綿糸を使用した。基布に脱タンパクＮＲラテックス（セラテックス３８２１）を主成分とする自着剤を均一に噴霧し、幅方向に５ｃｍに裁断し、長さ方向には頭部用自着包帯を４ｍ巻きつけて１巻とした。この頭部用自着包帯について、自背面粘着力、引張強さ、巻戻し力、引裂強さ、貼りやすさ、手切れ性、ガーゼの固定性、剥離時の痛み、剥離時の髪の抜毛を測定、又は評価した結果を表１に示す。
【００３０】
［実施例２］
経糸として、ポリウレタン混紡糸と綿糸を、糸の本数が１：２となる比率で均質に配置されているところに、綿糸からなる緯糸を打ち込むことにより形成させている基布に、脱タンパクＮＲラテックス（セラテックス３８２１）を主成分とする自着剤を均一に噴霧し、頭部用自着包帯を得た。幅方向に５ｃｍに裁断し、長さ方向には頭部用自着包帯を４ｍ巻きつけて１巻とした。この頭部用自着包帯について、自背面粘着力、引張強さ、巻戻し力、引裂強さ、貼りやすさ、手切れ性、ガーゼの固定性、剥離時の痛み、剥離時の髪の抜毛を測定、又は評価した結果を表１に示す。
【００３１】
【表１】
0003201497.tif 000003
【００３２】
実施例１、実施例２の頭部用自着包帯は、貼りやすく、手切れ性が良く、ガーゼの固定性がよく、剥離時の痛みがなく、剥離時に髪の毛が抜けないことが分かった。また、貼付時に貼り直しも可能であった。
【図１】
0003201497.tif 000004
【図２】
0003201497.tif 000005